(57)【特許請求の範囲】
【請求項１】
塵埃を吸引する吸引風を発する電動送風機を内設し、前記電動送風機より排出される排気を大気へ放出する排気口と、前記排気口に着脱自在に設けられた枠部材とを備え、前記枠部材の排気下流の全面を帯電防止処理した紡績布にて包囲し、前記紡績布が、掃除機本体の外殻の一部をなすと共に、前記枠部材の排気下流側の略中央部で枠部材と紡績布との間に、通気性のある弾性材を挟持した電気掃除機。
【請求項２】
紡績布に抗菌加工または抗黴加工を施した請求項１に記載の電気掃除機。
【発明の詳細な説明】
【０００１】
【発明の属する技術分野】
本発明は、本体から大気中に出る排気を分散させてソフトに出すことのできる電気掃除機に関するものである。
【０００２】
【従来の技術】
従来の電気掃除機を、図９、図１０を用いて説明する。
【０００３】
図において、１０１は前部に集塵室１０２、後部に電動送風機室を内蔵した掃除機本体である。この集塵室１０２内には集塵袋を取り付け、その上部開口部には集塵室蓋１０５にて開閉自在に覆われている。電動送風機室内には集塵室１０２内に塵埃を吸引するための電動送風機を配し、具体的には、掃除機本体１０１を構成する下ケース１０７と上ケース１０８とで峡持し固定している。１０９は電動送風機室の後部に設けた排気口で有り、上ケース１０８に形成されている。前記排気口１０９には着脱自在な枠部材１１１が設けられ、前記枠部材１１１の全面は紡績布１１０で覆われ、溶着固定されている。
【０００４】
また枠部材１１１には、排気上流側に微塵フイルター１１２を着脱自在に設けている。また枠部材１１１の上部には、上ケース１０８にビス等で締め付け保持される固定部材１１３が設けられており、枠部材１１１の下部は、下端部に設けた係合部１１４と、排気口１０９の下方縁部に設けて被係合部１１５とが係合しあうことで枠部材１１１を保持している。さらに、係合部１１４近辺には工具やコイン等が挿入でき凹部ａ（隙間）１１６を設けている。この凹部ａ１１６の形成に付いては、上ケース１０８をへこませて形成したものであっても、枠部材１１１を膨らませて形成したものであっても良い。
【０００５】
枠部材１１１の着脱構成に付いては、上記取付け保持構成以外に、上部及び下部もしくはどちらか一方をヒンジ構成にすることで代用できることは容易に推測できる物である。
【０００６】
上記構成において、前記排気口１０９は、着脱自在な枠部材１１１が設けられ、前記枠部材１１１の全面は紡績布１１０で覆われ、溶着固定されている。前記排気口１０９は、全面を紡績布１１０で覆われている。また紡績布１１０であるため排気孔（紡績布の目）の穴径が小さいことから、排気口１０９からの排気風は、個々の排気孔からの排気流量は穴径が小さいためにより少なくなり、かつ、排気孔からの排気流量が小さいため、隣接した排気孔へと排気が拡散していき、本体１０１の内部の排気通路を通過してきた排気は、排気口１０９全体に均一に分散して大気中に放出されることにより、ソフトな排気風を排出することができ、掃除中のゴミの吹き飛ばしを抑え、不快感を覚えることも無くなる。
【０００７】
【発明が解決しようとする課題】
しかしながら上記従来の電気掃除機において、排気口１０９の紡績布１１０は、電気掃除機を使用中、前記電気掃除機にて集塵しきれず排気口１０９の紡績布１１０を通過する塵埃と、前記紡績布１１０との摩擦によって前記紡績布１１０に静電気が生じる。使用後、通常、前記排気口１０９を被掃除面に略接触させて収納するが、前記紡績布１１０に静電気が生じていることで、被掃除面上の塵埃が排気口の紡績布１１０に付着する。そして、前記紡績布１０１に付着した塵埃は、再び掃除を行うと排気風とともに室内に吹飛ばされ、室内に浮遊させてしまう課題を有していた。
【０００８】
本発明は、上記従来の課題を解決しようとするもので、掃除機本体の排気口の紡績布に塵埃が付着しない、掃除機本体から大気中に排出する排気風が清潔な電気掃除機を提供することを目的としている。
【０００９】
【課題を解決するための手段】
上記目的を達成するために本発明は、塵埃を吸引する吸引風を発する電動送風機を内設し、前記電動送風機より排出される排気を大気へ放出する排気口と、前記排気口に着脱自在に設けられた枠部材とを備え、前記枠部材の排気下流の全面を帯電防止処理した紡績布にて包囲し、前記紡績布が、掃除機本体の外殻の一部をなすと共に、前記枠部材の排気下流側の略中央部で枠部材と紡績布との間に、通気性のある弾性材を挟持したもので、紡績布は、帯電防止により、静電気を起こすことがなくなり、排気口の紡績布に塵埃の付着等は無くなり、電動送風機より排出される排気を大気へ放出時清潔でソフトな排気風になり、室内に塵埃を浮遊させない快適な掃除をすることができる。
【００１０】
【発明の実施の形態】
本発明の請求項１記載の発明は、塵埃を吸引する吸引風を発する電動送風機を内設し、前記電動送風機より排出される排気を大気へ放出する排気口と、前記排気口に着脱自在に設けられた枠部材とを備え、前記枠部材の排気下流の全面を帯電防止処理した紡績布にて包囲し、前記紡績布が、掃除機本体の外殻の一部をなすと共に、前記枠部材の排気下流側の略中央部で枠部材と紡績布との間に、通気性のある弾性材を挟持したもので、紡績布は、帯電防止により、静電気を起こすことがなくなり、排気口の紡績布に塵埃の付着等は無くなり、電動送風機より排出される排気を大気へ放出時清潔でソフトな排気風になり、室内に塵埃を浮遊させない快適な掃除をすることができ、使用者に不快感を覚えることも無くなる。また、排気口への紡績布の取付けが容易になり、また、枠部材が着脱自在なために、紡績布の手入れを容易にすることができる。また、枠部材が本体内側に隠されるようになるため、凹凸感が少なくなり外観品位が向上する。また、紡績布にクッション性を持たせることができ、一種のバンパーとしての効果を得ることができたり、手で触れた時のソフト感が得られ、好感触の品位を得ることができる。
【００１１】
本発明の請求項２記載の発明は、紡績布に抗菌加工または抗黴加工を施したもので、製品から不衛生な排気口のイメージを良化することができるとともに、実際に菌の繁殖を抑えることができるものである。また、紡績布が汚れた再に水洗いし、湿った状態で放置したとしても同様の効果を発揮することができる。
【００１２】
【実施例】
本発明の一実施例を、図１〜図８を用いて説明する。
【００１３】
図において、１は前部に集塵室２、後部に電動送風機室３を内蔵した掃除機本体である。この集塵室２内には集塵袋４を取り付け、その上部開口部には集塵室蓋５にて開閉自在に覆われている。電動送風機室３内には集塵室２内に塵埃を吸引するための電動送風機６を配し、具体的には、掃除機本体１を構成する下ケース７と上ケース８とで挟持し固定している。９は電動送風機室の後部に設けた排気口であり、上ケース８に形成されている。
【００１４】
排気口９には着脱自在な枠部材１１が設けられ、前記枠部材１１の全面はスパッタリングにより、アルミニウム等の金属をコーティングした紡績布１０で覆われ、溶着固定されている。また、枠部材１１には、排気上流側に微塵フィルター１２を着脱自在に設けている。また、枠部材１１の上部には、上ケース８にビス等で締め付け保持される固定部材１３が設けられており、枠部材１１の上部は、前記固定部材１３と上ケース８によって挟持されている。一方、枠部材１１の下部は、下端部に設けた係合部１４と、排気口９の下方縁部に設けた被係合部１５とが係合しあうことで枠部材１１を保持している。さらに、係合部１４近辺には工具やコイン等が挿入できる凹部ａ（隙間）１６を設けている。この凹部ａ１６の形成については、上ケース８をへこませて形成したものであっても、枠部材１１を膨らませて形成したものであっても良い。
【００１５】
枠部材１１の着脱構成については、上記取付け保持構成以外に、上部および下部もしくはどちらか一方をヒンジ構成にすることで代用できることは容易に推測できるものである。
【００１６】
上記構成による作用は以下の通りである。
【００１７】
紡績布１０は、帯電防止処理により、静電気を起こすことがなくなり、排気口９の紡績布１０に塵埃の付着等は無くなり、紡績布１０より排出される排気を大気へ放出時清潔でソフトな排気風とでき、室内に塵埃を浮遊させない快適な掃除をすることができる。
【００１８】
排気口９に設けられた紡績布１０により形成される排気孔１７は、一つ一つが従来の外郭樹脂成形部品に形成した排気孔よりも面積は小さく、またスパッタリングにより金属をコーティングした紡績布１０であるために排気孔１７（スパッタリングにより金属をコーティングした紡績布の目）の数は、従来と同じ排気口９領域において倍以上を確保することができる。したがって、掃除作業中に排出される排気は、スパッタリングにより金属をコーティングした紡績布１０を通過することで以下の効果が得られる。個々の排気孔１７からの排気流量は穴径が小さいためにより少なくできる。同時に、排気孔１７からの排気流量が小さいため、隣接した排気孔１７へと排気が拡散していき、本体内部の排気通路を通過してきた排気は、排気口９全体に均一に分散して大気中に放出されることとなり、ソフトな排気風を排出することができ、掃除中のゴミの吹き飛ばしを抑え、足に排気風が当たって不快感を覚えることも無くなる。また、先述したように、従来と個々の排気孔１７面積の総面積数を同じにした場合、排気口９領域の面積は従来よりも小さくなるため、従来以下の排気口９面積でソフトな分散排気を発し、かつ、本体外郭による遮音効果を上げることもでき騒音値を低減することができる。
【００１９】
また、枠部材１１の取付けについては、前記枠部材１１の上部を上ケース８と固定部材１３との間に挿入し、枠部材１１の下部を後方より押し込むことで枠部材１１の係合部１４を排気口９の被係合部１５に容易に固定できる構成である。
【００２０】
また、取り外しについては、係合部１４近辺に設けた凹部ａ１６に工具またはコイン等を挿入し、抉ることで係合部１４を外し、枠部材１１を取り外すことを可能にしたものである。
【００２１】
また、スパッタリングにより金属をコーティングした紡績布１０で覆われた枠部材１１を、掃除機本体１の外殻よりの内側に入れ込んだ位置に配置することにより、排気圧を受けた時に外殻より外への張り出しを防止するとともに、汚れにくい位置に配置するという効果もある。
【００２２】
次に、スパッタリングにより金属をコーティングした紡績布１０の繊維材についてであるが、合成繊維を用いた場合、例えばナイロンを用いると、耐熱温度が高いため、排気熱や、床面との接触で生じる摩擦熱による熱変形を防止することができ、また、表面の滑り性が良いため、手で触れた時の感触が滑らかであると同時に、鋭利な突起物に対して引っ掛かりにくく、生地の解れに対し効果が得られるものである。また、ポリエステルを用いると、比較的安価に構成できる。また、耐摩耗性に優れているため、床面や家具等の対物に接触し易い場所で排気口を構成する場合に有効であり得る。ここでは、ナイロンとポリエステルを一実施例としてとりあげたが、例えば、染色しやすい生地であるとか、抗菌・抗黴あるいは防臭加工等を必要とする場合においては、各々の用途に適した繊維を使用するものであり、いうまでもなく上記以外の合成繊維の使用についても包含するものである。
【００２３】
さらに、スパッタリングにより金属をコーティングした紡績布１０に抗菌加工や抗黴加工を施すことにより、製品がら不衛生な排気口のイメージを良化することができるとともに、実際に菌の繁殖を抑えることができるものである。また、紡績布が汚れた再に水洗いし、湿った状態で放置したとしても同様の効果を発揮することができる。また、防臭加工を施すことで紙袋に集塵した塵埃から発生する臭いを抑える効果が得られ。また、外観部品をなすことで汚れ易い条件で使用するが、汚れを付きにくくするという目的でシリコン系やフッ素系の撥水処理を施すことも可能である。
【００２４】
次に、前記排気口９を形成する枠部材１１の排気格子２１の形状についてであるが、図３に示すように直線を組み合わせた形状（例えば三角形状）にすることで金型加工を容易にできる形状であったり、強度最優先の円形状であったり（図示せず）、図４に示すように排気口９の開口率と強度のバランスのとれたハニカム形状であったり、あるいは部分的に複数の形状を組み合わせたものであったり、また、全く不規則な形状、リブ幅、リブ厚で形成したりということについても必要に応じて適した形状で形成すべきであることについては容易に推測できるものである。また、図６は、紡績布に金属のスパッタリングンを施した紡績布２２の帯電防止を行なった紡績布である。さらに、図７は、紡績布の表面を導電性高分子で被覆した紡績布２３で帯電防止を行なったである。
【００２５】
また、図５、図８のように、枠部材１１の排気下流側の略中央部に凹部ｂ１８を設け、前記凹部ｂ１８には通気性のある弾性材１９やフィルター２０が格納され、帯電防止した紡績布１０と挟持された構成とすると、通気性のある弾性材１９を用いることで帯電防止した紡績布１０にクッション性を持たせることができ、一種のバンパーとしての効果を得ることができたり、手で触れた時のソフト感が得られ、好感触の品位を得ることができる。また、フィルター２０を用いることにより別の効果を得ることも可能である。例えば、帯電防止した紡績布１０よりも繊維密度が疎なフィルター２０を用いることで、排気風の清流効果を上げ、排気を拡散させることができるものである。これは、同時に静音効果にも通じるものである。一方、帯電防止した紡績布１０の繊維密度よりも密なフィルター２０を用いることにより、塵埃の集塵効果をあげ、排気をより清潔なものにすることができるものである。
【００２６】
ここでは、帯電防止した紡績布１０にクッション性を持たせるために弾性材１９を用いているが、帯電防止した紡績布自体にあらかじめ弾性のあるものを用いることで代用できることは容易に推測できるものである。
【００２７】
【発明の効果】
以上のように本発明によれば、紡績布には、塵埃の付着等は無くなり、本体内部の排気通路を通過してきた排気は帯電防止した紡績布で覆われた排気口全体に均一に分散し、ソフトな排気風で塵埃の吹飛ばしを抑えた、清潔な排気風が大気中に放出される。また、本体外郭による遮音効果を上げることができ騒音値を低減することができる。
【図面の簡単な説明】
【図１】本発明の一実施例を示す電気掃除機本体の斜視図
【図２】同排気口構成部材の正面図
【図３】同枠部材の斜視図
【図４】同枠部材の他の実施例を示した斜視図
【図５】同排気口構成部材の断面図
【図６】同排気口構成部材の正面図
【図７】同排気口構成部材の正面図
【図８】同排気口構成部材の他の実施例を示した断面図
【図９】従来の排気口構成部材の正面図
【図１０】同電気掃除機本体の斜視図
【符号の説明】
６  電動送風機
９  排気口
１０  帯電防止した紡績布
１１  枠部材
１２  微塵フィルター
１９  弾性材
２０  フィルター
２２  金属のスパッタを施した紡績布
２３  導電性高分子で被覆フィルター
【図１】
0003587192.tif 000002
【図２】
0003587192.tif 000003
【図３】
0003587192.tif 000004
【図４】
0003587192.tif 000005
【図５】
0003587192.tif 000006
【図６】
0003587192.tif 000007
【図７】
0003587192.tif 000008
【図８】
0003587192.tif 000009
【図９】
0003587192.tif 000010
【図１０】
0003587192.tif 000011